(57)【特許請求の範囲】
【請求項１】
施設空間において複数の区分にそれぞれ設定された複数の電気負荷について消費電力量を区分ごとに取得する取得手段と、
前記施設空間において削減すべき電力量の目標値が可変に設定される設定手段と、
前記取得手段が取得した前記消費電力量の総和と前記設定手段に設定された前記目標値とを比較する評価手段と、
前記区分を単位として前記複数の電気負荷に消費電力量を低減させる動作を指示する指示手段と、
前記複数の電気負荷の動作を定める制御テーブルが規定の条件に対応付けて複数格納される記憶手段と、
前記記憶手段から制御テーブルを選択する条件を与える条件入力手段と、
前記条件入力手段から与えられる条件に応じて前記記憶手段から前記制御テーブルを選択する選択手段とを備え、
前記制御テーブルは、複数の制御内容と、前記複数の制御内容にそれぞれ付与された複数の選択順とを含み、前記複数の制御内容は、前記指示手段が前記区分ごとに電気負荷に指示する動作を規定しており、
前記選択手段は、前記評価手段での比較結果において前記消費電力量の総和が前記目標値を超えている場合に、前記消費電力量の総和が前記目標値以下になるまで、前記制御内容に付与された選択順に従って前記記憶手段から選択した前記制御内容を前記指示手段に実行させる
ことを特徴とするエネルギー管理装置。
【請求項２】
前記電気負荷の動作は前記区分ごとに個別に変更可能であって、
前記電気負荷の動作が変更されたときに前記制御テーブルにおける前記制御内容の選択順を下位側に変更する順序変更手段をさらに備える
ことを特徴とする請求項１記載のエネルギー管理装置。
【請求項３】
施設空間において複数の区分にそれぞれ設定された複数の電気負荷について消費電力量を区分ごとに取得するステップと、
前記施設空間において削減すべき電力量の目標値が可変に設定されるステップと、
前記消費電力量の総和と前記目標値とを比較するステップと、
前記区分を単位として前記複数の電気負荷に消費電力量を低減させる動作を指示するステップと、
前記複数の電気負荷の動作を定める制御テーブルを規定の条件に対応付けて記憶手段に複数格納するステップと、
前記記憶手段から制御テーブルを選択する条件を条件入力手段から与えるステップと、
前記条件入力手段から与えられる条件に応じて前記記憶手段から前記制御テーブルを選択するステップとを備え、
前記制御テーブルは、複数の制御内容と、前記複数の制御内容にそれぞれ付与された複数の選択順とを含み、前記複数の制御内容は、前記区分ごとに電気負荷に指示する動作が規定されており、
前記消費電力量の総和が前記目標値を超えている場合に、前記消費電力量の総和が前記目標値以下になるまで、前記制御内容に付与された選択順に従って前記記憶手段から選択された前記制御内容を実行する
ことを特徴とするエネルギー管理方法。
【請求項４】
コンピュータに、
施設空間において複数の区分にそれぞれ設定された複数の電気負荷について消費電力量を区分ごとに取得するステップと、
前記施設空間において削減すべき電力量の目標値が可変に設定されるステップと、
前記消費電力量の総和と前記目標値とを比較するステップと、
前記区分を単位として前記複数の電気負荷に消費電力量を低減させる動作を指示するステップと、
前記複数の電気負荷の動作を定める制御テーブルを規定の条件に対応付けて記憶手段に複数格納するステップと、
前記記憶手段から制御テーブルを選択する条件を条件入力手段から与えるステップと、
前記条件入力手段から与えられる条件に応じて前記記憶手段から前記制御テーブルを選択するステップとを実行させるためのプログラムであって、
前記制御テーブルは、複数の制御内容と、前記複数の制御内容にそれぞれ付与された複数の選択順とを含み、前記複数の制御内容は、前記区分ごとに電気負荷に指示する動作が規定されており、
前記消費電力量の総和が前記目標値を超えている場合に、前記消費電力量の総和が前記目標値以下になるまで、前記制御内容に付与された選択順に従って前記記憶手段から選択された前記制御内容を実行することを特徴とするプログラム。
【発明の詳細な説明】
【技術分野】
【０００１】
本発明は、省エネルギーを目的として施設空間に配置された複数の電気負荷の動作を管理するエネルギー管理装置、エネルギー管理方法、プログラムに関するものである。
【背景技術】
【０００２】
近年、二酸化炭素の排出量削減、発電用資源の限界などの問題が浮上し、需用者に対する省エネルギーへの要求圧力が高まってきている。そのため、需用者に対して節電協力が求められている。しかしながら、エネルギー管理の専門家が常駐しない施設（店舗、中小オフィス、レストランなど）には、十分な知識を持ち合わせていない施設責任者しかおらず、施設責任者に任せてもエネルギー管理を適切に実践させることは困難である。
【０００３】
そこで、消費電力量を数値でユーザに示すのではなく、消費電力量の削減率を百分率でユーザに示し、ユーザには削減率の選択のみを行わせることが考えられる。たとえば、５％削減や１０％削減という形式で削減率を示しておき、ユーザに削減率を選択させるのである。この技術を採用すれば、エネルギー管理について十分な知識を持ち合わせていないユーザでも直観的に必要な削減率となるようにエネルギー管理を行うことが可能になる。
【０００４】
しかしながら、施設空間では、照度や温度のように施設空間の環境を調節する装置が多く用いられており、この種の装置は快適性と密接に関係している。すなわち、省エネルギーと快適性とは相反する関係を有している。たとえば、消費電力量（消費エネルギー）を１０％削減するために、営業時間中の照明機器を消灯するとすれば、照度が不足して快適性が損なわれることになる。
【０００５】
したがって、消費電力量の削減は、快適性の許容範囲内で行うことが要求される。すなわち、消費電力量について言えば、快適性が最大ではないが許容範囲になるように、電気負荷の動作を制限することが必要になる。このように電気負荷の動作を調節することによって消費電力量を低減させる技術は、従来から提案されている（たとえば、特許文献１参照）。
【先行技術文献】
【特許文献】
【０００６】
【特許文献１】特開２００９−２４００５４号公報
【発明の概要】
【発明が解決しようとする課題】
【０００７】
しかしながら、特許文献１に記載された技術は、消費電力量のピークが設定された基準値を超えると予想されるときに、電気負荷の動作を制限するだけであり、ユーザが指定した削減率を実現することはできない。また、この技術は、３０分間の積算電力量を契約電力以下に抑制することを目的としているから、電気負荷を制御する方法に変化がなく、上述のような快適性が十分に考慮されているとは言えない。
【０００８】
一方、施設空間は、空間内の人数が時間とともに変化し、また空間内の場所ごとに用途が異なっていることが多いから、快適性の条件が時間や場所によって変化する。したがって、省エネルギーを実践するにあたっても、快適性の条件変化を考慮することが要望される。
【０００９】
本発明は、施設空間において時間や場所に応じた快適性を考慮して電気負荷の動作を制御することにより、省エネルギーと快適性との両立を図ったエネルギー管理装置、エネルギー管理方法、プログラムを提供することを目的とする。
【課題を解決するための手段】
【００１０】
本発明に係るエネルギー管理装置は、施設空間において複数の区分にそれぞれ設定された複数の電気負荷について消費電力量を区分ごとに取得する取得手段と、前記施設空間において削減すべき電力量の目標値が可変に設定される設定手段と、前記取得手段が取得した前記消費電力量の総和と前記設定手段に設定された前記目標値とを比較する評価手段と、前記区分を単位として前記複数の電気負荷に消費電力量を低減させる動作を指示する指示手段と、前記複数の電気負荷の動作を定める制御テーブルが規定の条件に対応付けて複数格納される記憶手段と、前記記憶手段から制御テーブルを選択する条件を与える条件入力手段と、前記条件入力手段から与えられる条件に応じて前記記憶手段から前記制御テーブルを選択する選択手段とを備え、前記制御テーブルは、複数の制御内容と、前記複数の制御内容にそれぞれ付与された複数の選択順とを含み、前記複数の制御内容は、前記指示手段が前記区分ごとに電気負荷に指示する動作を規定しており、前記選択手段は、前記評価手段での比較結果において前記消費電力量の総和が前記目標値を超えている場合に、前記消費電力量の総和が前記目標値以下になるまで、前記制御内容に付与された選択順に従って前記記憶手段から選択した前記制御内容を前記指示手段に実行させることを特徴とする。
【００１１】
このエネルギ管理装置において、前記電気負荷の動作は前記区分ごとに個別に変更可能であって、前記電気負荷の動作が変更されたときに前記制御テーブルにおける前記制御内容の選択順を下位側に変更する順序変更手段をさらに備えることが好ましい。
本発明に係るエネルギー管理方法は、施設空間において複数の区分にそれぞれ設定された複数の電気負荷について消費電力量を区分ごとに取得するステップと、前記施設空間において削減すべき電力量の目標値が可変に設定されるステップと、前記消費電力量の総和と前記目標値とを比較するステップと、前記区分を単位として前記複数の電気負荷に消費電力量を低減させる動作を指示するステップと、前記複数の電気負荷の動作を定める制御テーブルを規定の条件に対応付けて記憶手段に複数格納するステップと、前記記憶手段から制御テーブルを選択する条件を条件入力手段から与えるステップと、前記条件入力手段から与えられる条件に応じて前記記憶手段から前記制御テーブルを選択するステップとを備え、前記制御テーブルは、複数の制御内容と、前記複数の制御内容にそれぞれ付与された複数の選択順とを含み、前記複数の制御内容は、前記区分ごとに電気負荷に指示する動作が規定されており、前記消費電力量の総和が前記目標値を超えている場合に、前記消費電力量の総和が前記目標値以下になるまで、前記制御内容に付与された選択順に従って前記記憶手段から選択された前記制御内容を実行することを特徴とする。
本発明に係るプログラムは、コンピュータに、施設空間において複数の区分にそれぞれ設定された複数の電気負荷について消費電力量を区分ごとに取得するステップと、前記施設空間において削減すべき電力量の目標値が可変に設定されるステップと、前記消費電力量の総和と前記目標値とを比較するステップと、前記区分を単位として前記複数の電気負荷に消費電力量を低減させる動作を指示するステップと、前記複数の電気負荷の動作を定める制御テーブルを規定の条件に対応付けて記憶手段に複数格納するステップと、前記記憶手段から制御テーブルを選択する条件を条件入力手段から与えるステップと、前記条件入力手段から与えられる条件に応じて前記記憶手段から前記制御テーブルを選択するステップとを実行させるためのプログラムであって、前記制御テーブルは、複数の制御内容と、前記複数の制御内容にそれぞれ付与された複数の選択順とを含み、前記複数の制御内容は、前記区分ごとに電気負荷に指示する動作が規定されており、前記消費電力量の総和が前記目標値を超えている場合に、前記消費電力量の総和が前記目標値以下になるまで、前記制御内容に付与された選択順に従って前記記憶手段から選択された前記制御内容を実行することを特徴とする。
【発明の効果】
【００１２】
本発明の構成によれば、施設空間において時間や場所に応じた快適性を考慮して電気負荷の動作を制御することになり、省エネルギーと快適性との両立が可能になるという利点を有する。
【図面の簡単な説明】
【００１３】
【図１】実施形態を示すブロック図である。
【図２】同上の動作説明図である。
【図３】同上の動作例を示す図である。
【発明を実施するための形態】
【００１４】
以下に説明する実施形態は、食品を扱うスーパーマーケットのような施設空間において電気負荷で消費される電力量を低減させる場合を例として説明する。ただし、施設空間は、食品スーパーマーケットに限られず、コンビニエンスストア、百貨店や店舗ビルのような他の商業施設、ホテルのような宿泊施設、病院や介護施設のような医療施設、オフィスビルなどであってもよい。
【００１５】
エネルギー管理装置は、ユーザが設定した消費電力の削減に関する目標値を達成できるように電気負荷の動作を指示することを目的として用いられる。したがって、図１に示すように、エネルギー管理装置１０は、消費電力の目標値をユーザが設定するための設定手段１１を備える。また、エネルギー管理装置１０は、電気負荷２０で実際に使用されている電力量を監視するために、電気負荷２０の消費電力量を計測手段３０から取得する取得手段１２を備える。取得手段１２が取得した消費電力量は、エネルギー管理装置１０に設けられた評価手段１３において消費電力の目標値と比較され、評価手段１３の評価結果と後述する選択手段１６で選択された制御テーブル１５１とに基づいて指示手段１４から電気負荷２０の動作が指示される。
【００１６】
以下に説明するように、施設空間には複数の電気負荷２０が配置され、電気負荷２０が配置された場所（実質的に同環境になる場所）ごとに、同種類の電気負荷２０が一括して制御される。すなわち、同種類の複数の電気負荷２０が同じ場所に配置されている場合、これらの電気負荷２０は同じ動作になるように一括して制御される。以下では、一括して制御される電気負荷２０を、１区分の電気負荷２０として扱う。通常、１区分の電気負荷２０は、分電盤により分岐された一つの分岐線上に接続される。したがって、分岐線ごとに消費電力量を計測することにより、電気負荷２０の消費電力量を区分ごとに計測することが可能になる。ただし、電気負荷２０が区分ごとに分岐線に接続されていることは必須ではなく、複数の区分の電気負荷２０が１本の分岐線に接続されていてもよく、逆に、１区分の電気負荷２０が複数本の分岐線に接続されていてもよい。
【００１７】
指示手段１４は、エネルギー管理装置１０に設けられた記憶手段１５に設定されている制御テーブル１５１で規定される制御順（具体的には後述する）に従って電気負荷２０の動作を指示する。記憶手段１５は、複数種類の制御テーブル１５１を記憶しており、制御テーブル１５１ごとに選択条件が対応付けられている。また、エネルギー管理装置１０は、条件入力手段１７から与えられる条件を記憶手段１５に記憶されている選択条件と照合する選択手段１６を備える。選択手段１６は、条件入力手段１７から与えられた条件に一致する選択条件が存在する場合に、当該選択条件に対応付けられた制御テーブル１５１を抽出する。制御テーブル１５１の詳細については後述する。
【００１８】
ところで、消費電力の削減に関する目標値は電力量の数値で表すことが可能であるが、電力量を実際の数値で表した場合、ユーザ自身が過去の電力量の数値を調べて、目標値を適切に設定する作業が必要になる。このような作業は、手間がかかる上に、目標値を誤設定する可能性も高くなると考えられる。すなわち、施設空間を利用する一般のユーザにとって、電力量の数値を用いて目標値を設定することは容易ではない。
【００１９】
また、昨今では、公的機関が二酸化炭素の排出削減の目標値や使用電力量の削減目標値を示す場合に百分率を用いているから、目標値を百分率で設定可能にしておけば、ユーザにとって目標値の設定が容易になり、目標値を誤設定する可能性も低減される。ただし、取得手段１２は電力量を取得しているから、目標値を百分率で表すには、評価手段１３での比較のために、百分率を電力量に換算することが必要である。言い換えると、目標値に対する電力量の基準値が必要であって、この基準値に目標値を乗じることにより、目標値としての電力量が算出され、取得手段１２が取得した消費電力量との比較が可能になる。
【００２０】
電力量の基準値は、簡易的には施設空間の規模に応じた標準値を用いる。すなわち、施設空間の売場面積あるいは電気負荷の台数のように取得が容易であるパラメータを用い、これらのパラメータに対してあらかじめ用意されている標準値を適用することにより基準値を設定することが可能である。また、過去の一定期間（たとえば、１年間）の消費電力量あるいは電気料金を入手可能である場合には、このような過去の実績から基準値を定めるようにしてもよい。これらの基準値は、エネルギー管理装置１０の設置時に設置業者が設定するから、ユーザは基準値を意識することなく百分率による目標値の設定を行える。
【００２１】
設定手段１１は、ＤＩＰスイッチやデジタルサムホイールスイッチ、テンキー、タッチパネル、他装置から指示された設定内容を保持するメモリスイッチなどから選択される構成を備える。メモリスイッチを設定手段１１に用いる場合は、エネルギー管理装置１０に他装置を接続するためのインターフェイス装置（図示せず）が必要になる。インターフェイス装置は、ＵＳＢ（Universal Serial Bus）のような周知の仕様でよい。
【００２２】
電気負荷２０は、コントローラ２１を介してエネルギー管理装置１０に接続され、指示手段１４からの指示がコントローラ２１に与えられることにより、コントローラ２１が指示に応じて電気負荷２０を制御する。たとえば、電気負荷２０が照明機器であって調光可能であれば、コントローラ２１は指示手段１４から調光の指示を受けると、照明機器に調光のための信号を与える。また、電気負荷２０が空調機器であれば、コントローラ２１は指示手段１４から温度の指示を受けると、空調機器に温度を調節する信号を与える。要するに、コントローラ２１は、エネルギー管理装置１０からメッセージとして与えられる指示を、電気負荷２０の動作を決めるための信号に変換する機能を備える。なお、電気負荷２０がエネルギー管理装置１０からのメッセージを受け取る機能を備えている場合には、コントローラ２１を省略することが可能である。
【００２３】
評価手段１３は、取得手段１２が取得した消費電力量の総和を、設定手段１１に設定された目標値（目標値から求められる電力量）と比較し、消費電力量の総和が目標値を超えている場合に、選択手段１６への通知を行う。一方、取得手段１２が取得した消費電力量の総和が目標値以下である場合には、原則として選択手段１６への通知は行わず、電気負荷２０の動作を維持させる。
【００２４】
ここに、取得手段１２は、消費電力量の総和を連続的（たとえば、１秒毎）に取得することが考えられるが、エネルギー管理装置１０は、消費電力量の微小変動に追従する必要はない。したがって、取得手段１２は、所定時間（１分、５分、３０分、１時間などから選択）ごとに間欠的に消費電力量を取得すればよい。仮に、取得手段１２が５分毎に消費電力量を取得するとすれば、評価手段１３も５分毎に消費電力量の総和を目標値と比較することになる。
【００２５】
ただし、消費電力量が最終的に目標値を達成しているか否かは、より長い期間（たとえば、１日、１週間、１ヶ月、１年など）を単位として判断される。たとえば、１日を単位として目標値が達成されたか否かを判断する場合、取得手段１２が取得した消費電力量を１日の期間において積算し、積算した結果を基準値と比較すればよい。
【００２６】
ところで、ユーザが設定した消費電力量の目標値を達成するには、複数の電気負荷２０の中から制御対象となる電気負荷２０を選択し、かつ選択した電気負荷２０に対して消費電力量を低減させるための適切な動作を指示する必要がある。消費電力量の目標値を達成するには、すべての電気負荷２０の消費電力量を目標値に合わせるように一律に低減させることが考えられる。しかしながら、消費電力量と快適性とは相反する関係であることが多いから、消費電力量を一律に低減させると、快適性も一様に損なわれる可能性が高くなる。そのため、施設空間が店舗であれば、売場の快適性が一様に損なわれ、結果的に集客力を損なう可能性が生じる。
【００２７】
たとえば、施設空間が食品スーパーマーケットであって、電気負荷２０が、照度環境を調節する照明機器と、温度環境を調節する空調機器とであると仮定する。この条件では、来客の多い繁忙時に売場の照度が通常よりも低い場合、あるいは外気温の高い夏季において売場の気温が通常よりも高い場合には、客の快適性が損なわれることになる。ただし、来客の少ない閑散時であれば売場の照度が通常よりも低くとも許容される可能性があり、また、人からの放熱量が少ないから、売場の気温が通常より高い場合でも、許容される可能性がある。
【００２８】
電気負荷２０が売場の照明機器であれば、営業時間外には、通常は常夜灯が点灯していればよく、また閑散時には繁忙時に比較すると照度を低下させても不満が生じる可能性は少ないと考えられる。
【００２９】
また、施設空間の従業員は、快適性に対する許容範囲が客よりは広いとみなせるから、従業員のみが作業する場所の照度や気温は、売場の照度や気温とは異ならせることが可能である。
【００３０】
上述した例から理解できるように、施設空間では、電気負荷２０の種類、電気負荷２０が利用される場所、電気負荷２０を使用する時間帯や外部環境などの条件によって、消費電力量を低減させるための動作が異なる。したがって、施設空間に場所や目的に応じた多数個の電気負荷２０が存在していることに着目すれば、消費電力量の低減に伴う快適性の低下を抑制できると考えられる。この思想を実現するために、本実施形態のエネルギー管理装置１０は、電気負荷２０の種類および動作を選択するための制御テーブル１５１を備えている。
【００３１】
記憶手段１５には、複数個の制御テーブル１５１が登録され、制御テーブル１５１ごとに、条件が対応付けられる。本実施形態では、制御テーブル１５１に対応付けられる条件を、電気負荷２０が利用される場所、時間帯、屋外環境、制御性能の４種類のパラメータで規定している。ただし、条件を規定するパラメータは、施設空間の用途や仕様に応じて適宜に定められる。記憶手段１５に記憶されている複数個の制御テーブル１５１から条件に見合う制御テーブル１５１を選択するために、エネルギー管理装置１０は、条件入力手段１７を備える。条件入力手段１７は、選択手段１６に条件を与えるために設けられている。条件入力手段１７に設定する条件は、ユーザまたはエネルギー管理装置１０の施工者が登録すればよい。時間帯および屋外環境については、繁忙時、閑散時、営業外、夏季、冬季、日中、夜中などのに対応する日時を設定しておけば、内蔵時計に計時される日時を用いて条件が判断される。なお、適宜のセンサを接続可能としている場合、センサの出力を用いて条件を判断することも可能である。
【００３２】
以下では、例を挙げて説明するために、電気負荷２０として、照明機器と空調機器との２種類を想定し、場所として、売場と作業場との２箇所を想定する。また、時間帯は、営業中と営業外とに大きく２分類し、さらに、営業中は、客数が比較的多い繁忙時と客数が比較的少ない閑散時とに２分類する。屋外環境は、空調機器について夏季と冬季との２分類とし、照明機器について昼間と夜間との２分類とする。さらに、制御性能は、電気負荷２０の仕様に応じた制御内容に関連する項目である。たとえば、照明機器の制御性能には、調光の可否があり、照明機器の調光を行う場合に、照明機器が調光可能であれば照明機器に調光信号が与えられ、照明機器が調光不能であれば一部の照明機器が消灯されることになる。
【００３３】
表１〜表４に制御テーブル１５１の例を示す。制御テーブル１５１は、消費電力量を低減させる際の制御対象である電気負荷２０と電気負荷２０の動作とを対応付けた制御内容が登録されたデータテーブルであって、１つの制御テーブル１５１に複数の制御内容が含まれる。また、制御テーブル１５１に含まれている制御内容には選択順（上述した制御順に相当）が設定され、選択手段１６は、評価手段１３の評価結果において目標値が達成されていないときに、制御内容を選択順に従って順に選択し、指示手段１４に制御内容を実行させる。
【００３４】
【表１】
0005887549.tif 000002
【００３５】
【表２】
0005887549.tif 000003
【００３６】
【表３】
0005887549.tif 000004
【００３７】
【表４】
0005887549.tif 000005
【００３８】
表１、表３は快適度のみで選択順を決定した場合の制御テーブル１５１であり、表２、表４は快適度と省エネルギーの効果との両方で選択順を決定した場合の制御テーブル１５１である。したがって、表１〜表４に示す制御テーブル１５１を採用する場合、記憶手段１５には、表１、表３で示す制御テーブル１５１または表２、表４で示す制御テーブル１５１のいずれかが登録される。ここに、快適度および効果は、電気負荷２０を使用する条件（場所、時間帯、屋外環境、制御性能）と制御内容（電気負荷、動作）との組合せに対してあらかじめ適宜に設定される値である。快適度および効果をあらかじめ設定しておくことにより、快適度のみを考慮するか、快適度と省エネルギーの効果とを合わせて考慮するかを決定すれば、制御テーブル１５１における選択順を自動的に決定することが可能になる。
【００３９】
たとえば、表１〜表４の制御テーブル１５１を作成するにあたって、表５、表６に示すように制御内容と快適度と効果とが対応付けてあれば、表５、表６を用いて制御テーブル１５１を自動的に生成することが可能である。
【００４０】
【表５】
0005887549.tif 000006
【００４１】
【表６】
0005887549.tif 000007
【００４２】
なお、表２、表４を生成するにあたっては、快適度と効果とを加算した値を用いることにより、快適度と効果との両方を考慮した選択順を決定している。表５および表６のように快適度および効果を点数化したデータは、あらかじめ作成して記憶手段１５に登録される。このようなデータが記憶手段１５に設定されていれば、ユーザは、快適度のみを考慮するか、快適度と効果との両方を考慮するかを選択するだけで、表１〜表４に示した制御テーブル１５１を自動的に生成することが可能になる。
【００４３】
エネルギー管理装置１０を実現するハードウェア要素は、主としてマイクロコンピュータが用いられる。また、マイクロコンピュータを上述した機能を備えるエネルギー管理装置１０として動作させるためのプログラムが実行される。このプログラムの動作手順を図２にまとめて記載する。上述した動作は、本実施形態の要部の動作であって、図２には、要部以外の動作も含めている。
【００４４】
すなわち、エネルギー管理装置１０が動作すると、取得手段１２は所定時間ごとに間欠的に電気負荷２０の区分ごとの消費電力量を取得し（Ｓ１）、取得手段１２が取得した消費電力量の合計を求める（Ｓ２）。さらに、取得手段１２は、消費電力量の合計を積算し（Ｓ３）、消費電力量の積算値から所定時間後の積算電力量を予測する（Ｓ４）。ステップＳ４における予測は、デマンド制御における予測と同様に線形予測でよい。たとえば、過去の所定時間（たとえば、３０分）内の消費電力量の傾きを延長することによって、所定時間（たとえば、５分）後の積算電力量を予測するのである。
【００４５】
次に、評価手段１３において、設定手段１１で設定された目標値と、取得手段１２が余予測した積算電力量とを比較する（Ｓ５）。ここで、評価手段１３は、目標値が達成されるか否かだけではなく、目標値が達成されている場合には、達成の程度についても評価する。すなわち、目標値が達成されている場合には、目標値と積算電力量との差分を求め、この差分が規定の閾値以上であれば、目標値の達成が容易であったと判断する。
【００４６】
ステップＳ５において、目標値が達成されないと判断された場合（Ｓ５：ＮＧ）、上述した動作のように、選択手段１６が省エネルギーを促進するための制御テーブル１５１を選択し（Ｓ６）、指示手段１４が選択された制御テーブル１５１に従って電気負荷２０の動作を指示する（Ｓ７）。一方、ステップＳ５において、目標値の達成が容易であると判断された場合（Ｓ５：ＯＫ２）、快適性を向上させてもよいと考えられるから、選択手段１６で選択されている制御テーブル１５１を用い（Ｓ８）、選択順を逆順として電気負荷２０の動作を指示する（Ｓ９）。なお、ステップＳ５において、目標値が達成されるが余裕はないと判断された場合（Ｓ５：ＯＫ１）、電気負荷２０の動作を変更せずに、以後の処理に移行する。
【００４７】
その後、積算電力量を予測した時間が経過すると（Ｓ１０：Ｙｅｓ）、取得手段１２は積算電力量を０にリセットする（Ｓ１１）。また、次に取得手段１２が消費電力量を取得する時間になるまで待機する（Ｓ１２）。
【００４８】
以上説明したように、図２に示す動作が繰り返されることにより、ユーザが設定した目標値が達成されるように電気負荷２０の動作が制御されるのである。このような制御を行った場合の積算電力量の推移を図３に示す。
【００４９】
図３は１日の積算電力量の推移を示し、（１）は計測手段３０で計測された実測値、（２）は目標値として設定された積算電力値である。上述した例では、繁忙時と閑散時と営業外とに分けた動作を示したが、図３に示す例では、６時間ごとに使用する制御テーブル１５１を選択している。図示例では、制御開始の時刻（当日の１２：００）において、実測値が目標値を超えているが、翌日の１２：００には目標値が達成されている。このように、場所、時間帯などの上述した条件に応じて制御テーブル１５１を選択し、選択順に従って各電気負荷２０の動作を制御することによって、目標値の達成が可能になる。
【００５０】
なお、上述の動作例では、電気負荷２０として照明機器と空調機器とを示したが、食品を扱うスーパーマーケットでは、電気負荷２０として冷凍機器（冷蔵機器を含む）を用いることが多い。したがって、必要に応じて、冷凍機器による消費電力も考慮される。冷凍機器は、閑散時と繁忙時とにかかわらず、営業時間中には蒸発温度を一定に保ち、営業時間外には気温変化が少なく昼間よりは気温が低下するから、営業時間外であれば、蒸発温度を高め（たとえば、１〜２℃高め）に設定することが可能である。
【００５１】
ところで、エネルギー管理装置１０は、選択した制御テーブル１５１に従って電気負荷２０の動作を自動的に決定するから、ユーザは電気負荷２０の動作を許容できない場合もある。このような場合に備えて、ユーザが電気負荷２０を区分ごとに個別に制御することが許容されている。すなわち、電気負荷２０の動作がエネルギー管理装置１０により指示されている状態であっても、電気負荷２０の動作を区分ごとに個別に変更することが可能になっている。
【００５２】
エネルギー管理装置１０は、電気負荷２０の動作が変更された場合に、現状の動作をユーザが許容していないと判断し、制御テーブル１５１における当該電気負荷２０の制御内容の選択順を下位側に変更する順序修正手段１８を備えていてもよい。順序修正手段１８は、電気負荷２０の動作が変更されたときに、制御テーブル１５１における選択順を下位側に変更する。この機能により、同じ制御テーブル１５１が次に選択されたときに、同じ制御内容となる確率を低減させ、結果的に、ユーザの快適性を向上させることになる。すなわち、制御テーブル１５１の選択順を動的に変更可能としておくことにより、ユーザの好みや現場の環境に応じた制御テーブル１５１が得られることになる。
【符号の説明】
【００５３】
１０  エネルギー管理装置
１１  設定手段
１２  取得手段
１３  評価手段
１４  指示手段
１５  記憶手段
１５１  制御テーブル
１６  選択手段
１７  条件入力手段
１８  順序修正手段
２０  電気負荷
２１  コントローラ
３０  計測手段
【図１】
0005887549.tif 000008
【図２】
0005887549.tif 000009
【図３】
0005887549.tif 000010